(57)【要約】      （修正有）【課題】内圧式の気泡膜煙塵浄化箱を提供する。【解決手段】下方ケース１を含み、下方ケース１の外面の頂端に閉密板が固定接続され、閉密板の頂面に３つの泡出溝が開設され、閉密板の内壁の底面に複数個の泡起部材が設置され、複数個の泡起部材の位置がそれぞれ泡出溝の位置と対応しており、下方ケース１の外面の前端に第１取付孔が開設され、下方ケース１の底面の尾端に第２取付孔が開設されており、第１取付孔の内部に第１バルブが、および第２取付孔の内部に第２バルブ５がそれぞれ固定接続されており、閉密板の頂面に上方ケース２が半田付け接続されており、上方ケース２の外面の前端に進煙口が固定接続され、上方ケース２の外面の尾端に縦管が固定接続され、縦管の内部に下から順次に第１吸着板８と第２吸着板７が設置されており、縦管と下方ケース１の内部の尾端とが連通しており、下方ケース１および上方ケース２の形状はいずれも渦状とする。【選択図】図３
0003229716.tif 000002
【実用新案登録請求の範囲】
【請求項１】
下方ケース１を含み、
前記下方ケース１の外面の頂端に閉密板１３が固定接続され、前記閉密板１３の頂面に３
つの泡出溝１１が開設され、前記閉密板１３の内壁の底面に複数個の泡起部材１２が設置
され、複数個の前記泡起部材１２の位置がそれぞれ泡出溝１１の位置と対応しており、前
記下方ケース１の外面の前端に第１取付孔１０が開設され、前記下方ケース１の底面の尾
端に第２取付孔９が開設されており、前記第１取付孔１０の内部に第１バルブ４が、およ
び第２取付孔９の内部に第２バルブ５がそれぞれ固定接続されており、前記閉密板１３の
頂面に上方ケース２が半田付け接続されており、
前記上方ケース２の外面の前端に進煙口６が固定接続され、前記上方ケース２の外面の尾
端に縦管１４が固定接続され、前記縦管１４の内部に下から順次に第１吸着板８と第２吸
着板７が設置されており、前記縦管１４と下方ケース１の内部の尾端とが連通しており、
前記下方ケース１および上方ケース２の形状はいずれも渦状とする、
ことを特徴とする内圧式の気泡膜煙塵浄化箱。
【請求項２】
前記縦管１４の内部の頂端に封止蓋３が固定接続され、前記封止蓋３はボルトによって縦
管１４に固定接続されていることを特徴とする請求項１に記載の内圧式の気泡膜煙塵浄化
箱。
【請求項３】
前記下方ケース１の寸法と上方ケース２の寸法とが相互に合わせされており、前記下方ケ
ース１の高度が上方ケース２の高度より大きくすることを特徴とする請求項１に記載の内
圧式の気泡膜煙塵浄化箱。
【請求項４】
３つの前記泡出溝１１は均一に閉密板１３の頂面に配布され、３つの前記泡出溝１１の幅
度がいずれも下方ケース１の内壁の幅度より小さくすることを特徴とする請求項１に記載
の内圧式の気泡膜煙塵浄化箱。
【請求項５】
前記第１バルブ４が第１取付孔１０に、および第２バルブ５が第２取付孔９にそれぞれネ
ジ接続され、前記第１バルブ４の取手を進煙口６の外面に接触させないように構成されて
いることを特徴とする請求項１に記載の内圧式の気泡膜煙塵浄化箱。
【請求項６】
前記縦管１４の内部と上方ケース２の内部とが連通しており、前記縦管１４の外面と下方
ケース１および上方ケース２の外面とを接触させないように構成されていることを特徴と
する請求項１に記載の内圧式の気泡膜煙塵浄化箱。
【請求項７】
前記第１吸着板８および第２吸着板７の寸法がいずれも縦管１４の内壁の寸法よりわずか
に大きく、前記第１吸着板８と第２吸着板７の厚度の和が縦管１４の内壁の深度より小さ
くすることを特徴とする請求項１に記載の内圧式の気泡膜煙塵浄化箱。
【考案の詳細な説明】
【技術分野】
【０００１】
本実用新案は、浄化箱の技術分野に関するもので、特に、内圧式の気泡膜煙塵浄化箱に関
する。
【従来の技術】
【０００２】
ごみの処分で発生した煙・塵・廃気をそのまま大気に排出すると、大気の汚染となるので
、現在ではごみの焼却による煙塵廃気の処理方法は、主に乾式脱酸、半乾式脱酸、および
湿式脱酸の３種類に分けられる。
【０００３】
乾式脱酸、半乾式脱酸、および湿式脱酸の方式はいずれも常用の方法である。それぞれは
別々に異なる原理を利用して各処理装置で別々に処理を行うことで、一層、気体煙塵の処
理効果を向上する。ところが、従来で使用される煙塵浄化装置は、実際の使用過程で以下
の欠点がある。
【０００４】
従来の装置はほとんど構成が複雑で、体積が大きく、使用では不便である。
【考案の概要】
【０００５】
上記の問題を解決するために、下記の内圧式の気泡膜煙塵浄化箱を提供する。
下方ケース１を含み、前記下方ケース１の外面の頂端に閉密板１３が固定接続され、前
記閉密板１３の頂面に３つの泡出溝１１が開設され、前記閉密板１３の内壁の底面に複数
個の泡起部材１２が設置され、複数個の前記泡起部材１２の位置がそれぞれ泡出溝１１の
位置と対応しており、前記下方ケース１の外面の前端に第１取付孔１０が開設され、前記
下方ケース１の底面の尾端に第２取付孔９が開設されており、前記第１取付孔１０の内部
に第１バルブ４が、および第２取付孔９の内部に第２バルブ５がそれぞれ固定接続されて
おり、前記閉密板１３の頂面に上方ケース２が半田付け接続されており、前記上方ケース
２の外面の前端に進煙口６が固定接続され、前記上方ケース２の外面の尾端に縦管１４が
固定接続され、前記縦管１４の内部に下から順次に第１吸着板８と第２吸着板７が設置さ
れており、前記縦管１４と下方ケース１の内部の尾端とが連通しており、前記下方ケース
１および上方ケース２の形状はいずれも渦状とする、内圧式の気泡膜煙塵浄化箱である。
好ましくは、前記縦管１４の内部の頂端に封止蓋３が固定接続され、前記封止蓋３はボ
ルトによって縦管１４に固定接続されている。
好ましくは、前記下方ケース１の寸法と上方ケース２の寸法とが相互に合わせされてお
り、前記下方ケース１の高度が上方ケース２の高度より大きくする。
好ましくは、３つの前記泡出溝１１は均一に閉密板１３の頂面に配布され、３つの前記
泡出溝１１の幅度がいずれも下方ケース１の内壁の幅度より小さくする。
好ましくは、前記第１バルブ４が第１取付孔１０に、および第２バルブ５が第２取付孔
９にそれぞれネジ接続され、前記第１バルブ４の取手を進煙口６の外面に接触させないよ
うに構成されている。
好ましくは、前記縦管１４の内部と上方ケース２の内部とが連通しており、前記縦管１
４の外面と下方ケース１および上方ケース２の外面とを接触させないように構成されてい
る。
好ましくは、前記第１吸着板８および第２吸着板７の寸法がいずれも縦管１４の内壁の
寸法よりわずかに大きく、前記第１吸着板８と第２吸着板７の厚度の和が縦管１４の内壁
の深度より小さくする。
【０００６】
本実用新案にかかる内圧式の気泡膜煙塵浄化箱は、以下の利点を有する。
（１）内圧式の気泡膜煙塵浄化箱は、下方ケースと上方ケースを採用する。ここで、下方
ケースを上方ケースとをはんだ付け接続するとともに、下方ケースと上方ケースをいずれ
も渦状とする。このため、占める面積を減少するとともに、気体の流通距離を増加する。
また、下方ケースの内部に複数個の泡起部材を設置することで、使用際では、下方ケース
内部の処理液を気泡と発泡させることができ、それを煙塵に接触させて、気体煙塵を除去
する目的を達成する。また、装置全体の構成が簡単で、便利に使用、および以降のメンテ
ナンスが可能である。
【０００７】
（２）内圧式の気泡膜煙塵浄化箱は、上方ケースの外面の尾端に縦管を固定接続して、縦
管内部の頂端に第１吸着板および第２吸着板を設置することで、気体気体に対して二次処
理を実施し、未処理の不純物や油を吸着することができる。下方ケースの前端および尾端
にそれぞれ第１バルブと第２バルブをが設置することで、処理液を使用者が容易に添加お
よび排出するという目的を達成する。このため、本装置は実際の使用習慣に合わせる構成
となる。
【図面の簡単な説明】
【０００８】
【図１】本実用新案の上面構成模式図。
【図２】本実用新案の下面構成模式図。
【図３】本実用新案の断面構成模式図。
【図４】本実用新案の下方ケースの上面構成模式図。
【図５】本実用新案の下方ケースの下面構成模式図。
【図６】本実用新案の上方ケースの構成模式図。
【考案を実施するための形態】
【０００９】
図１〜図６に示されるよに、本内圧式の気泡膜煙塵浄化箱は、下方ケース１を含み、下
方ケース１の外面の頂端に閉密板１３が固定接続され、閉密板１３の頂面に３つの泡出溝
１１が開設され、閉密板１３の内壁の底面に複数個の泡起部材１２が設置され、複数個の
泡起部材１２の位置がそれぞれ泡出溝１１の位置と対応しており、下方ケース１の外面の
前端に第１取付孔１０が開設され、下方ケース１の底面の尾端に第２取付孔９が開設され
ており、第１取付孔１０の内部に第１バルブ４が、および第２取付孔９の内部に第２バル
ブ５がそれぞれ固定接続されており、閉密板１３の頂面に上方ケース２が半田付け接続さ
れており、上方ケース２の外面の前端に進煙口６が固定接続され、上方ケース２の外面の
尾端に縦管１４が固定接続され、縦管１４の内部に下から順次に第１吸着板８と第２吸着
板７が設置されており、縦管１４と下方ケース１の内部の尾端とが連通しており、下方ケ
ース１および上方ケース２の形状はいずれも渦状とする。
【００１０】
一実施形態として、縦管１４の内部の頂端に封止蓋３が固定接続され、封止蓋３はボル
トによって縦管１４に固定接続されている。封止蓋３によって、大きな不純物の縦管１４
内への侵入を阻止できる。また縦管１４の表面にネット孔が設置されることで、透過性を
良好にさせている。またボルトによって封止蓋３を接続することで、取付および取外を便
利にさせるという目的を達成する。
【００１１】
一実施形態として、下方ケース１の寸法と上方ケース２の寸法とが相互に合わせされて
おり、下方ケース１の高度が上方ケース２の高度よりわずかに大きくする。これによって
、下方ケース１と上方ケース２の組み合わせてなる装置の全体性および外観性が良好であ
る。また、渦状の下方ケース１と上方ケース２によって、占める面積を減少するとともに
、気体の流通距離を増加する。
【００１２】
一実施形態として、３つの泡出溝１１は均一に閉密板１３の頂面に配布され、３つの泡
出溝１１の幅度がいずれも下方ケース１の内壁の幅度より小さくする。使用際では、下方
ケース１内部の処理液を気泡と発泡させることができ、それを煙塵に接触させて、気体煙
塵を除去する目的を達成する。また、装置全体の構成が簡単で、便利に使用、および以降
でメンテナンスが可能である。
【００１３】
一実施形態として、第１バルブ４が第１取付孔１０に、および第２バルブ５が第２取付
孔９にそれぞれネジ接続され、第１バルブ４の取手を進煙口６の外面に接触させないよう
に構成されている。これによって処理液を使用者が容易に添加および排出するという目的
を達成する。このため、本装置の構成は使用習慣に合わせるものとなる。また第１バルブ
４の取手を下方に配置することで、第１バルブ４を使用者が容易に操作できるので、十分
の使用空間を提供する。
【００１４】
一実施形態として、縦管１４の内部と上方ケース２の内部とが連通しており、縦管１４
の外面と下方ケース１および上方ケース２の外面とを接触させないように構成されている
縦管１４の内部と上方ケース２の内部とが連通しており、縦管１４の外面と下方ケース１
および上方ケース２の外面とを接触させないように構成されている。縦管１４によって気
体を頂部から排出する。このため、使用際では、送風機によって気体を装置全域にわたっ
て送り込むので、気体を装置内部全体に回って運動させる。
【００１５】
一実施形態として、第１吸着板８および第２吸着板７の寸法がいずれも縦管１４の内壁
の寸法よりわずかに大きく、第１吸着板８と第２吸着板７の厚度の和が縦管１４の内壁の
深度より小さくする。これによって、気体に対して二次処理を実施し、未処理の不純物や
油を吸着することができる流ので、ある程度では、装置全体の気体に対する浄化効果を向
上する。
＜本実用新案の動作原理＞
【００１６】
本装置の使用に際しては、下方ケース１と上方ケース２を採用する。ここで、下方ケース
１を上方ケース２とをはんだ付け接続するとともに、下方ケース１と上方ケース２がいず
れも渦状とする。このため、占める面積を減少するとともに、気体の流通距離を増加する
。また、下方ケース１の内部に複数個の泡起部材１２を設置することで、使用際では、下
方ケース１内部の処理液をを気泡と発泡させることができ、それを煙塵に接触させて、気
体煙塵を除去する目的を達成する。また、装置全体の構成が簡単で、便利に使用、および
以降でメンテナンスが可能である。上方ケース２の外面の尾端に縦管１４を固定接続して
、縦管１４内部の頂端に第１吸着板８および第２吸着板７を設置することで、気体気体に
対して二次処理を実施し、未処理の不純物や油を吸着することができる。下方ケース１の
前端および尾端にそれぞれ第１バルブ４と第２バルブ５をが設置することで、処理液を使
用者が容易に添加および排出するという目的を達成する。このため、本装置の構成は実際
の使用習慣に合わせるものとなる。
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１７】
１    下方ケース
２    上方ケース
３    封止蓋
４    第１バルブ
５    第２バルブ
６    進煙口
７    第２吸着板
８    第１吸着板
９    第２取付孔
１０    第１取付孔
１１    泡出溝
１２    泡起部材
１３    閉密板
１４    縦管
【図１】
0003229716.tif 000003
【図２】
0003229716.tif 000004
【図３】
0003229716.tif 000005
【図４】
0003229716.tif 000006
【図５】
0003229716.tif 000007
【図６】
0003229716.tif 000008